(57)【特許請求の範囲】
【請求項１】
ａ．紙製内側カップ１のボトム側端縁を外側に折り返して折り返し部５を形成すると共に、この内側カップ１の上部を拡径して拡径段差部４を形成したこと、
ｂ．前記内側カップ１のボトム側に、周縁を下向きに折り曲げて袖縁６を形成したボトム材３を挿入してこのボトム材３の袖縁６の外周面と前記内側カップ１のボトム側内周面を接触させたこと、
ｃ．前記内側カップ１の周囲の外側に外側カップ２を位置させると共に、この外側カップ２のボトム側端縁を前記内側カップ１の折り返し部５とボトム材３の袖縁６の外に捲き付けて一体に固定するボトム側捲き込み部７を形成したこと、
ｄ．前記外側カップ２の上部内周面を拡径段差部４の外に密着させた上で、この外側カップ２の上端縁を外側に折り曲げて上縁８を形成し、この上縁８に内側カップ１の上端縁を外側から下向きに更に内側に捲き付けて外側カップ２の上縁８と内側カップ１の上縁とを一体に固定する口側捲き込み部９を形成したこと、
ｅ．上記構成により、前記内側カップ１と外側カップ２間であって、内側カップ１の拡径段差部４と折り返し部５間の胴体部に断熱空間１０を形成したこと、
ｆ．を特徴とする断熱紙カップ。
【発明の詳細な説明】
【０００１】
【発明の属する技術分野】
本発明は、胴体部に断熱空間を有する二重構造の紙カップに関するものである。
【０００２】
【従来技術とその課題】
紙カップの欠点は、断熱性に劣ることから、熱い飲み物やインスタントラーメン等のような熱湯を注ぐ商品用には不向きである。これを改善するために、カップの胴体部に摘みを取り付けたり、或いは図４に示すように、紙カップ２０の胴体部２１の外周面にエンボス紙２３とコートボール紙２２を捲きつけたり、或いは図５に示すように、紙カップ２０の胴体部２１にスペース形成用の凸部２４を形成してこの外側を外装紙でとり囲むように形成することにより、空気断熱空間２５を形成して断熱を図るようにしている。しかし、これら従来の紙カップにおいては、次のような欠点がある。
【０００３】
１．摘みを取り付けた紙カップの場合、手で持ったときに安全性がなく、熱い飲み物の場  合危険である。
２．糊付け工程が入り製造コストが嵩む。
３．図４の場合、エンボス紙及びコートボール紙の端断面が露出しているため、意匠性に  欠け又、この端断面から水分等を吸収してしまう。更にエンボス紙と紙カップ２０間及  びコートボール紙２２間は糊付けを必要とするため、製造コストが嵩む。
４．図５の場合、断熱空間が小さく、断熱性に劣ると共に単一カップの意匠性が無い。又  、外装紙を固定するために糊付け工程が必要となり、製造コストが嵩む。
【０００４】
本発明の目的は、断熱性に優れ、単一カップ状の意匠性を有し、製造コストが安く、紙の断面が露出しないことにより吸水しない等の特徴を有する断熱紙カップとこの製法を提供することである。
【０００５】
【課題を解決するための手段】
上記目的を達成するため、請求項１に記載の発明においては、断熱紙カップにおいて、ａ．紙製内側カップ１のボトム側端縁を外側に折り返して折り返し部５を形成すると共に、この内側カップ１の上部を拡径して拡径段差部４を形成したこと、
ｂ．前記内側カップ１のボトム側に、周縁を下向きに折り曲げて袖縁６を形成したボトム材３を挿入してこのボトム材３の袖縁６の外周面と前記内側カップ１のボトム側内周面を接触させたこと、
ｃ．前記内側カップ１の周囲の外側に外側カップ２を位置させると共に、この外側カップ２のボトム側端縁を前記内側カップ１の折り返し部５とボトム材３の袖縁６の外に捲き付けて一体に固定するボトム側捲き込み部７を形成したこと、
ｄ．前記外側カップ２の上部内周面を拡径段差部４の外に密着させた上で、この外側カップ２の上端縁を外側に折り曲げて上縁８を形成し、この上縁８に内側カップ１の上端縁を外側から下向きに更に内側に捲き付けて外側カップ２の上縁８と内側カップ１の上縁とを一体に固定する口側捲き込み部９を形成したこと、
ｅ．上記構成により、前記内側カップ１と外側カップ２間であって、内側カップ１の拡径段差部４と折り返し部５間の胴体部に断熱空間１０を形成したこと、
ｆ．を特徴とするものである。
【０００６】
上記構成によると、内側カップと外側カップとの間に空間が形成されているため、断熱性に優れ、又外観的には単一紙カップの形状となり、意匠性に優れている。又、紙の端断面が露出しないため、吸水することがない。又、糊付け工程を含まず、内側カップと外側カップの捲き込みにより一体化するため、製造が簡単で、機械生産が可能になる。
【０００７】
【実施例１】
図１は本発明に係る紙カップの外観図、図２は断面図である。
この紙カップは、紙製の内側カップ１と外側カップ２及びボトム材３を一体化したもので、その構成は、内側カップ１のボトム側端縁を外側に折り返してこの折り返し部５を形成し、この内側カップ１の上部を拡径して拡径段差部４を形成した形状である。
【０００８】
外側カップ２は、前記内側カップ１の胴体部の外側に位置し、この外側カップ２はボトム側端縁を内側に捲き込んで前記内側カップ１の折り返し部５とボトム材３の袖縁６を捲き込むことにより、ボトム側捲き込み部７を形成した構成である。
【０００９】
更に内側カップ１はその上端を外側に捲き込んで水平方向に折り曲げた外側カップ２の上縁８を捲き込み固定することにより、口側捲き込み部９を形成し、胴体部に断熱空間１０を形成した構成である。
【００１０】
上記構成の断熱紙カップの製法を図３（ａ）〜（ｄ）に基づいて説明する。
先ず、図３（ａ）に示すように、内側カップ１の上部を拡径して拡径段差部４を形成すると共にボトム側端縁を外側に折り返して折り返し部５を形成し、このボトム側の内側に袖縁６を下向きに形成したボトム材３を挿入する。
【００１１】
次に、図３（ｂ）に示すように前記内側カップ１の外側に外側カップ２を位置させたのち、この外側カップ２の下縁でボトム材３の袖縁６と前記内側カップ１のボトム側端縁の折り返し部５を捲き込んでボトム側捲き込み部７を形成し、内側カップ１とボトム材３と外側カップ２をボトム側において固定する。
【００１２】
次に図３（ｃ）に示すように内側カップ１の上縁で前記外側カップ２の上縁８を捲き込んで口側捲き込み部９を形成することにより、内側カップ１と外側カップ２を上部において固定する。図３（ｄ）は、外側カップ２の上縁８ａを折り曲げずにストレートにしてこの外側に内側カップ１の捲き込み部９を形成した例である。図３において（ａ´）は折り返し部５ａをダブルに形成した例、（ｂ´）はこのダブルの折り返し部５ａを捲きこんだ例である。
なお、本紙カップは、口側を開放したままとしているが、用途によっては、口側に開閉自在の蓋をつけたり、中に内容物を入れて蓋材でシールした形態等で利用される。
【００１３】
【発明の効果】
本発明に係る断熱紙カップは以上の如き構成と製法から成り、次の効果を有する。
１．内側カップに形成した拡径段差部と折り返し部により、外側カップとの間隔を自由に  、大きくとれる。この結果、断熱空間を拡大することにより断熱性に優れた紙カップを  得ることができる。
２．カップのボトム側においては外側カップの下縁を内側に捲き込んで内側カップの下縁  とボトム材の袖縁とを一体化し、上部側は内側カップの上縁を外側に捲き込んで外側カ  ップの上縁と一体化したことにより、二重構造でありながら、十分な強度を有し、使い  勝手の良い紙カップが得られる。
【００１４】
３．外観的には内側カップと外側カップの区別がつかないために、単一カップの意匠とな  り、大変見栄えが良くなる。
４．内側カップと外側カップを捲き込みで一体化したこにより、強度が増した分、内側カ  ップの材料の薄肉化が可能であり、材料費の低減により紙カップを安価に提供できる。
５．内側カップと外側カップを捲き込みで一体化し、紙の端断面が一切露出していないの  で、吸水することがない。
６．糊付部分が一切ないので、製造コストの低減化が可能である。
【図面の簡単な説明】
【図１】  本発明を実施した断熱紙カップの斜視図。
【図２】  本発明を実施した断熱紙カップの断面図。
【図３】  紙カップの製造法の説明図。
【図４】  エンボス紙とコートボール紙を用いて断熱性を付与した従来の紙カップの斜視図。
【図５】  紙カップの外側に断熱空間を形成した従来の断熱紙カップの説明図。
【符号の説明】
１  内側カップ
２  外側カップ
３  ボトム材
４  拡径段差部
５  折り返し部
６  袖縁
７  ボトム側捲き込み部
８  折り曲げ上縁
９  口側捲き込み部
１０  断熱空間
【図１】
0004094730.tif 000002
【図２】
0004094730.tif 000003
【図３】
0004094730.tif 000004
【図４】
0004094730.tif 000005
【図５】
0004094730.tif 000006